(57)【要約】【課題】  例えば印刷装置等のデータ出力機能を制限することなく、消費電力を抑えることを可能とする。【解決手段】  画像印刷装置６１０は、画像再生装置６００の電源状態と自らの電源状態とに基づいてデータの送受信方式を選択し、その選択結果に応じた受信方式で画像再生装置６００からデータを受信し、所定の受信方式で受信されたデータを所定のデータ形式に変換するデコーダ回路６１５への電源供給状態を、上記の選択結果に応じて切り替える。【選択図】  図６
2006190186.tif 000002
【特許請求の範囲】
【請求項１】
通信回線を介して接続される外部装置内のデータを出力可能なデータ出力装置であって、
前記外部装置の電源状態情報を取得する電源状態情報取得手段と、
当該データ出力装置の電源状態を検出する電源状態検出手段と、
前記電源状態情報と前記電源状態検出手段による検出結果とに基づいて、前記外部装置と当該データ出力装置間におけるデータの送受信方式を選択する送受信方式選択手段と、
前記送受信方式選択手段による選択結果に応じた受信方式で、前記外部装置からデータを受信する受信手段と、
前記受信手段により所定の受信方式で受信されたデータを所定のデータ形式に変換する変換手段と、
前記送受信方式選択手段による選択結果に応じて、前記変換手段への電源供給状態を切り替える電源制御手段とを有することを特徴とするデータ出力装置。
【請求項２】
前記送受信方式選択手段は、前記電源状態情報と前記検出結果とに基づいて、前記外部装置及び当該データ出力装置の電源容量が小さい方を判定し、その判定結果に基づいて前記外部装置と当該データ出力装置間のデータの送受信方式を選択することを特徴とする請求項１に記載のデータ出力装置。
【請求項３】
前記送受信方式選択手段は、前記外部装置より当該データ出力装置の電源容量が小さいと判定した場合、前記変換手段によるデータ形式の変換処理が不要なデータの送受信方式を選択することを特徴とする請求項２に記載のデータ出力装置。
【請求項４】
前記送受信方式選択手段は、当該データ出力装置より前記外部装置の電源容量が小さいと判定した場合、前記変換手段によるデータ形式の変換処理が必要なデータの送受信方式を選択することを特徴とする請求項２又は３に記載のデータ出力装置。
【請求項５】
前記送受信方式選択手段は、前記外部装置と当該データ出力装置との電源容量が略同じであると判定した場合、前記外部装置と当該データ出力装置との残電源容量を比較し、その比較結果に基づいて前記外部装置と当該データ出力装置間のデータの送受信方式を選択することを特徴とする請求項２乃至４の何れか１項に記載のデータ出力装置。
【請求項６】
前記電源制御手段は、前記送受信方式選択手段により前記変換手段によるデータ形式の変換処理が不要なデータの送受信方式が選択された場合、前記変換手段への電源供給を絶つように制御することを特徴とする請求項３乃至５の何れか１項に記載のデータ出力装置。
【請求項７】
データを記録し、記録するデータを出力可能なデータ出力装置と通信回線を介して接続されるデータ記録装置であって、
当該データ記録装置の電源状態を検出する電源状態検出手段と、
前記電源状態検出手段の検出結果情報を前記データ出力装置に送信する検出結果情報送信手段と、
前記検出結果情報と前記データ出力装置の電源状態とに基づいて前記データ出力装置により選択された、当該データ記録装置と前記データ出力装置間におけるデータの送受信方式を示す選択情報を受信する選択情報受信手段と、
前記選択情報により所定のデータの送受信方式が示されていた場合、記録するデータを所定のデータ形式に変換する変換手段と、
前記選択情報により示されるデータの送受信方式に応じて、前記変換手段への電源供給状態を切り替える電源制御手段と、
前記選択情報により示されるデータの送受信方式に応じた送信方式で、前記データ出力装置に対してデータを送信するデータ送信手段とを有することを特徴とするデータ記録装置。
【請求項８】
前記選択情報受信手段は、前記検出結果情報と前記データ出力装置の電源状態とに基づき前記データ出力装置によって前記データ出力装置及び当該データ記録装置の電源容量が小さい方が判定され、その判定結果に基づく前記選択情報を受信することを特徴とする請求項７に記載のデータ記録装置。
【請求項９】
前記選択情報受信手段は、前記データ出力装置より当該データ記録装置の電源容量が小さいと前記データ出力装置により判定された場合、前記変換手段によるデータ形式の変換処理が不要なデータの送受信方式を示す選択情報を受信することを特徴とする請求項８に記載のデータ記録装置。
【請求項１０】
前記選択情報受信手段は、当該データ記録装置より前記データ出力装置の電源容量が小さいと前記データ出力装置により判定された場合、前記変換手段によるデータ形式の変換処理が必要なデータの送受信方式を示す選択情報を受信することを特徴とする請求項８又は９に記載のデータ記録装置。
【請求項１１】
前記選択情報受信手段は、当該データ記録装置と前記データ出力装置との電源容量が略同じである場合に、当該データ記録装置と前記データ出力装置との残電源容量の比較結果に基づく前記選択情報を受信することを特徴とする請求項８乃至１０の何れか１項に記載のデータ記録装置。
【請求項１２】
前記電源制御手段は、前記選択情報により前記変換手段によるデータ形式の変換処理が不要なデータの送受信方式が示されていた場合、前記変換手段への電源供給を絶つことを特徴とする請求項９乃至１１の何れか１項に記載のデータ記録装置。
【請求項１３】
通信回線を介して接続される外部装置内のデータを出力可能なデータ出力装置であって、
当該データ出力装置の電源状態を検出する電源状態検出手段と、
前記電源状態検出手段の検出結果情報を前記外部装置に送信する検出結果情報送信手段と、
前記検出結果情報と前記外部装置の電源状態とに基づいて前記外部装置により選択された、当該データ出力装置と前記外部装置間におけるデータの送受信方法を示す選択情報を受信する選択情報受信手段と、
前記選択情報に応じた受信方式で、前記外部装置からデータを受信する受信手段と、
前記受信手段により所定の受信方式で受信されたデータを所定のデータ形式に変換する変換手段と、
前記選択情報に応じて、前記変換手段への電源供給状態を切り替える電源制御手段とを有することを特徴とするデータ出力装置。
【請求項１４】
データを記録し、記録するデータを出力可能なデータ出力装置と通信回線を介して接続されるデータ記録装置であって、
前記データ出力装置の電源状態情報を取得する電源状態情報取得手段と、
当該データ記録装置の電源状態を検出する電源状態検出手段と、
前記電源状態情報と前記電源状態検出手段の検出結果とに基づいて、前記データ出力装置と当該データ記録装置間におけるデータの送受信方式を選択する送受信方式選択手段と、
前記送受信方式選択手段により所定のデータの送受信方式が選択された場合、記録するデータを所定のデータ形式に変換する変換手段と、
前記送受信方式選択手段の選択結果に応じて、前記変換手段への電源供給状態を切り替える電源制御手段と、
前記送受信方式選択手段の選択結果に応じた送信方式で、前記データ出力装置に対してデータを送信するデータ送信手段とを有することを特徴とするデータ記録装置。
【請求項１５】
通信回線を介して接続される外部装置内のデータを出力可能なデータ出力装置の制御方法であって、
前記外部装置の電源状態情報を取得するとともに、当該データ出力装置の電源状態を検出する電源状態検出ステップと、
前記電源状態情報と当該データ出力装置の電源状態とに基づいて、前記外部装置と当該データ出力装置間におけるデータの送受信方式を選択する送受信方式選択ステップと、
前記送受信方式選択ステップによる選択結果に応じた受信方式で、前記外部装置からデータを受信する受信ステップと、
前記送受信方式選択ステップによる選択結果に応じて、所定の受信方式で受信されたデータを所定のデータ形式に変換する変換手段への電源供給状態を切り替える電源制御ステップとを含むことを特徴とするデータ出力装置の制御方法。
【請求項１６】
データを記録し、記録するデータを出力可能なデータ出力装置と通信回線を介して接続されるデータ記録装置の制御方法であって、
当該データ記録装置の電源状態を検出する電源状態検出ステップと、
前記電源状態検出ステップの検出結果情報を前記データ出力装置に送信する検出結果情報送信ステップと、
前記検出結果情報と前記データ出力装置の電源状態とに基づいて前記データ出力装置により選択された、当該データ記録装置と前記データ出力装置間におけるデータの送受信方式を示す選択情報を受信する選択情報受信ステップと、
前記選択情報により示されるデータの送受信方式に応じて、前記選択情報により所定のデータの送受信方式が示されていた場合、記録するデータを所定のデータ形式に変換する変換手段への電源供給状態を切り替える電源制御ステップと、
前記選択情報により示されるデータの送受信方式に応じた送信方式で、前記データ出力装置に対してデータを送信するデータ送信ステップとを含むことを特徴とするデータ記録装置の制御方法。
【請求項１７】
通信回線を介して接続される外部装置内のデータを出力可能なデータ出力装置の制御方法であって、
当該データ出力装置の電源状態を検出する電源状態検出ステップと、
前記電源状態検出ステップの検出結果情報を前記外部装置に送信する検出結果情報送信ステップと、
前記検出結果情報と前記外部装置の電源状態とに基づいて前記外部装置により選択された、当該データ出力装置と前記外部装置間におけるデータの送受信方法を示す選択情報を受信する選択情報受信ステップと、
前記選択情報に応じた受信方式で、前記外部装置からデータを受信する受信ステップと、
前記選択情報に応じて、所定の受信方式で受信されたデータを所定のデータ形式に変換する変換手段への電源供給状態を切り替える電源制御ステップとを含むことを特徴とするデータ出力装置の制御方法。
【請求項１８】
データを記録し、記録するデータを出力可能なデータ出力装置と通信回線を介して接続されるデータ記録装置の制御方法であって、
前記データ出力装置の電源状態情報を取得するとともに、当該データ記録装置の電源状態を検出する電源状態検出ステップと、
前記電源状態情報と当該データ記録装置の電源状態とに基づいて、前記データ出力装置と当該データ記録装置間におけるデータの送受信方式を選択する送受信方式選択ステップと、
前記送受信方式選択ステップの選択結果に応じて、所定のデータの送受信方式が選択された場合、記録するデータを所定のデータ形式に変換する変換手段への電源供給状態を切り替える電源制御ステップと、
前記送受信方式選択ステップの選択結果に応じた送信方式で、前記データ出力装置に対してデータを送信するデータ送信ステップとを含むことを特徴とするデータ記録装置の制御方法。
【請求項１９】
請求項１５又は１７に記載のデータ出力装置の制御方法をコンピュータに実行させるためのプログラム。
【請求項２０】
請求項１６又は１８に記載のデータ記録装置の制御方法をコンピュータに実行させるためのプログラム。
【請求項２１】
請求項１９又は２０に記載のプログラムを記録したコンピュータ読み取り可能な記録媒体。
【請求項２２】
外部装置と通信する画像供給装置であって、
圧縮画像を記憶する記憶媒体から画像データを読み出す読み出し手段と、
前記外部装置の電源能力と、当該画像供給装置の電源能力とを比較する比較手段と、
前記比較手段の比較に基づき、前記外部装置との通信方式を選択する選択手段とを有することを特徴とする画像供給装置。
【請求項２３】
圧縮画像データを供給する画像供給装置から画像データを受信する画像処理装置であって、
前記画像供給装置と通信する通信手段と、
前記画像供給装置の電源能力と、当該画像処理装置の電源能力とを比較する比較手段と、
前記比較手段による比較に基づき、前記画像供給装置との通信方式を選択する選択手段とを有することを特徴とする画像処理装置。
【請求項２４】
外部装置と通信する画像供給装置であって、
圧縮画像を記憶する記憶媒体から画像データを読み出す読み出し手段と、
前記圧縮画像を所定のデータ形式に変換する変換手段と、
前記外部装置の電源能力と、当該画像供給装置の電源能力とを比較する比較手段と、
前記比較手段の比較に基づき、前記変換手段によって変換した画像データを出力するか、前記読み出し手段により読み出された圧縮画像を出力するかを選択する選択手段とを有することを特徴とする画像供給装置。
【請求項２５】
圧縮画像データを供給する画像供給装置から画像データを受信する画像処理装置であって、
前記画像供給装置と通信する通信手段と、
前記通信手段を介して前記画像供給装置に画像データを要求する要求手段と、
前記画像供給装置の電源能力と、当該画像処理装置の電源能力とを比較する比較手段と、
前記比較手段による比較に基づき、前記画像供給装置に圧縮画像データの送信を要求するか、前記圧縮画像を所定の形式に変換した画像データを要求するかを選択する選択手段とを有することを特徴とする画像処理装置。
【請求項２６】
外部装置と通信する画像供給装置の制御方法であって、
圧縮画像を記憶する記憶媒体から画像データを読み出す読み出しステップと、
前記外部装置の電源能力と、当該画像供給装置の電源能力とを比較する比較ステップと、
前記比較ステップでの比較に基づき、前記外部装置との通信方式を選択する選択ステップとを含むことを特徴とする画像供給装置の制御方法。
【請求項２７】
圧縮画像データを供給する画像供給装置から画像データを受信する画像処理装置の制御方法であって、
前記画像供給装置の電源能力と、当該画像処理装置の電源能力とを比較する比較ステップと、
前記比較ステップによる比較に基づき、前記画像供給装置との通信方式を選択する選択ステップとを含むことを特徴とする画像処理装置の制御方法。
【請求項２８】
外部装置と通信する画像供給装置の制御方法であって、
圧縮画像を記憶する記憶媒体から画像データを読み出す読み出しステップと、
前記圧縮画像を所定のデータ形式に変換する変換ステップと、
前記外部装置の電源能力と、当該画像供給装置の電源能力とを比較する比較ステップと、
前記比較ステップでの比較に基づき、前記変換手段によって変換した画像データを出力するか、前記読み出しステップにより読み出された圧縮画像を出力するかを選択する選択ステップとを含むことを特徴とする画像供給装置の制御方法。
【請求項２９】
圧縮画像データを供給する画像供給装置から画像データを受信する画像処理装置の制御方法であって、
前記画像供給装置と通信する通信手段を介して前記画像供給装置に画像データを要求する要求ステップと、
前記画像供給装置の電源能力と、当該画像処理装置の電源能力とを比較する比較ステップと、
前記比較ステップによる比較に基づき、前記画像供給装置に圧縮画像データの送信を要求するか、前記圧縮画像を所定の形式に変換した画像データを要求するかを選択する選択ステップとを含むことを特徴とする画像処理装置の制御方法。
【発明の詳細な説明】
【技術分野】
【０００１】
本発明は、データ記録装置とデータ出力装置との間でデータを送受信し、当該データの出力が可能なシステムに適用可能な技術に関するものである。
【背景技術】
【０００２】
近年においては、記録媒体に記録された画像データを再生する機能を有する画像再生装置（例えば、デジタルカメラやデジタルビデオカメラ等）とプリンタをＵＳＢケーブル等の有線接続や赤外線通信等の無線接続によってパーソナルコンピュータ等の情報処理装置を介さずに直接接続し、画像再生装置側で指定した画像をプリンタに出力して印刷を行うシステムが実用化されている。
【０００３】
このようなカメラやプリンタでは、通常のＡＣ電源による電力供給方法の他に、ＡＣ電源が使用できない場所における使用のために、乾電池や充電式充電池などの比較的小容量の電源による駆動も可能であることが多い。
【０００４】
しかしながら、小容量の電源によって駆動しているカメラやプリンタでは、前記のシステムにおいて、印刷の実行中の電源容量不足等によって印刷の実行が困難になってしまい、最悪の場合には実行中の印刷が停止してしまうといった問題があった。これに対して従来では、電源残容量が不足するような印刷設定を表示メニュー上から消去することによって、使用者が選択できないよう制限する電子カメラに関する発明がある（例えば、特許文献１参照）。また、ＬＣＤパネルなどの表示装置を消灯することによって消費電力を抑える電子カメラに関する発明もある（例えば、特許文献２参照）。
【０００５】
【特許文献１】特開平１１−８８８１３号公報
【特許文献２】特開平１１−８８８１４号公報
【発明の開示】
【発明が解決しようとする課題】
【０００６】
しかしながら、従来の技術では、装置が持つすべての印刷機能を使用できなくなる、または、表示装置が消灯してしまうため印刷状態や状況などの情報が分からないなど、使用者にとって印刷機能が制限されてしまう問題があった。
【０００７】
そこで、本発明の目的は、例えば印刷装置等のデータ出力機能を制限することなく、消費電力を抑えることを可能とすることにある。
【課題を解決するための手段】
【０００８】
本発明のデータ出力装置の第１の態様は、通信回線を介して接続される外部装置内のデータを出力可能なデータ出力装置であって、前記外部装置の電源状態情報を取得する電源状態情報取得手段と、当該データ出力装置の電源状態を検出する電源状態検出手段と、前記電源状態情報と前記電源状態検出手段による検出結果とに基づいて、前記外部装置と当該データ出力装置間におけるデータの送受信方式を選択する送受信方式選択手段と、前記送受信方式選択手段による選択結果に応じた受信方式で、前記外部装置からデータを受信する受信手段と、前記受信手段により所定の受信方式で受信されたデータを所定のデータ形式に変換する変換手段と、前記送受信方式選択手段による選択結果に応じて、前記変換手段への電源供給状態を切り替える電源制御手段とを有することを特徴とする。
【０００９】
本発明のデータ記録装置の第１の態様は、データを記録し、記録するデータを出力可能なデータ出力装置と通信回線を介して接続されるデータ記録装置であって、当該データ記録装置の電源状態を検出する電源状態検出手段と、前記電源状態検出手段の検出結果情報を前記データ出力装置に送信する検出結果情報送信手段と、前記検出結果情報と前記データ出力装置の電源状態とに基づいて前記データ出力装置により選択された、当該データ記録装置と前記データ出力装置間におけるデータの送受信方式を示す選択情報を受信する選択情報受信手段と、前記選択情報により所定のデータの送受信方式が示されていた場合、記録するデータを所定のデータ形式に変換する変換手段と、前記選択情報により示されるデータの送受信方式に応じて、前記変換手段への電源供給状態を切り替える電源制御手段と、前記選択情報により示されるデータの送受信方式に応じた送信方式で、前記データ出力装置に対してデータを送信するデータ送信手段とを有することを特徴とする。
【００１０】
本発明のデータ出力装置の第１の態様は、通信回線を介して接続される外部装置内のデータを出力可能なデータ出力装置であって、当該データ出力装置の電源状態を検出する電源状態検出手段と、前記電源状態検出手段の検出結果情報を前記外部装置に送信する検出結果情報送信手段と、前記検出結果情報と前記外部装置の電源状態とに基づいて前記外部装置により選択された、当該データ出力装置と前記外部装置間におけるデータの送受信方法を示す選択情報を受信する選択情報受信手段と、前記選択情報に応じた受信方式で、前記外部装置からデータを受信する受信手段と、前記受信手段により所定の受信方式で受信されたデータを所定のデータ形式に変換する変換手段と、前記選択情報に応じて、前記変換手段への電源供給状態を切り替える電源制御手段とを有することを特徴とする。
【００１１】
本発明のデータ記録装置の第２の態様は、データを記録し、記録するデータを出力可能なデータ出力装置と通信回線を介して接続されるデータ記録装置であって、前記データ出力装置の電源状態情報を取得する電源状態情報取得手段と、当該データ記録装置の電源状態を検出する電源状態検出手段と、前記電源状態情報と前記電源状態検出手段の検出結果とに基づいて、前記データ出力装置と当該データ記録装置間におけるデータの送受信方式を選択する送受信方式選択手段と、前記送受信方式選択手段により所定のデータの送受信方式が選択された場合、記録するデータを所定のデータ形式に変換する変換手段と、前記送受信方式選択手段の選択結果に応じて、前記変換手段への電源供給状態を切り替える電源制御手段と、前記送受信方式選択手段の選択結果に応じた送信方式で、前記データ出力装置に対してデータを送信するデータ送信手段とを有することを特徴とする。
【００１２】
本発明のデータ出力装置の制御方法の第１の態様は、通信回線を介して接続される外部装置内のデータを出力可能なデータ出力装置の制御方法であって、前記外部装置の電源状態情報を取得するとともに、当該データ出力装置の電源状態を検出する電源状態検出ステップと、前記電源状態情報と当該データ出力装置の電源状態とに基づいて、前記外部装置と当該データ出力装置間におけるデータの送受信方式を選択する送受信方式選択ステップと、前記送受信方式選択ステップによる選択結果に応じた受信方式で、前記外部装置からデータを受信する受信ステップと、前記送受信方式選択ステップによる選択結果に応じて、所定の受信方式で受信されたデータを所定のデータ形式に変換する変換手段への電源供給状態を切り替える電源制御ステップとを含むことを特徴とする。
【００１３】
本発明のデータ記録装置の制御方法の第１の態様は、データを記録し、記録するデータを出力可能なデータ出力装置と通信回線を介して接続されるデータ記録装置の制御方法であって、当該データ記録装置の電源状態を検出する電源状態検出ステップと、前記電源状態検出ステップの検出結果情報を前記データ出力装置に送信する検出結果情報送信ステップと、前記検出結果情報と前記データ出力装置の電源状態とに基づいて前記データ出力装置により選択された、当該データ記録装置と前記データ出力装置間におけるデータの送受信方式を示す選択情報を受信する選択情報受信ステップと、前記選択情報により示されるデータの送受信方式に応じて、前記選択情報により所定のデータの送受信方式が示されていた場合、記録するデータを所定のデータ形式に変換する変換手段への電源供給状態を切り替える電源制御ステップと、前記選択情報により示されるデータの送受信方式に応じた送信方式で、前記データ出力装置に対してデータを送信するデータ送信ステップとを含むことを特徴とする。
【００１４】
本発明のデータ出力装置の制御方法の第２の態様は、通信回線を介して接続される外部装置内のデータを出力可能なデータ出力装置の制御方法であって、当該データ出力装置の電源状態を検出する電源状態検出ステップと、前記電源状態検出ステップの検出結果情報を前記外部装置に送信する検出結果情報送信ステップと、前記検出結果情報と前記外部装置の電源状態とに基づいて前記外部装置により選択された、当該データ出力装置と前記外部装置間におけるデータの送受信方法を示す選択情報を受信する選択情報受信ステップと、前記選択情報に応じた受信方式で、前記外部装置からデータを受信する受信ステップと、前記選択情報に応じて、所定の受信方式で受信されたデータを所定のデータ形式に変換する変換手段への電源供給状態を切り替える電源制御ステップとを含むことを特徴とする。
【００１５】
本発明のデータ記録装置の制御方法の第２の態様は、データを記録し、記録するデータを出力可能なデータ出力装置と通信回線を介して接続されるデータ記録装置の制御方法であって、前記データ出力装置の電源状態情報を取得するとともに、当該データ記録装置の電源状態を検出する電源状態検出ステップと、前記電源状態情報と当該データ記録装置の電源状態とに基づいて、前記データ出力装置と当該データ記録装置間におけるデータの送受信方式を選択する送受信方式選択ステップと、前記送受信方式選択ステップの選択結果に応じて、所定のデータの送受信方式が選択された場合、記録するデータを所定のデータ形式に変換する変換手段への電源供給状態を切り替える電源制御ステップと、前記送受信方式選択ステップの選択結果に応じた送信方式で、前記データ出力装置に対してデータを送信するデータ送信ステップとを含むことを特徴とする。
【００１６】
本発明のプログラムの第１の態様は、前記データ出力装置の制御方法の第１又は第２の態様をコンピュータに実行させることを特徴とする。
【００１７】
本発明のプログラムの第２の態様は、前記データ記録装置の制御方法の第１又は第２の態様をコンピュータに実行させることを特徴とする。
【００１８】
本発明のコンピュータ読み取り可能な記録媒体は、前記プログラムを記録したことを特徴とする。
【００１９】
本発明の画像供給装置の第１の態様は、外部装置と通信する画像供給装置であって、圧縮画像を記憶する記憶媒体から画像データを読み出す読み出し手段と、前記外部装置の電源能力と、当該画像供給装置の電源能力とを比較する比較手段と、前記比較手段の比較に基づき、前記外部装置との通信方式を選択する選択手段とを有することを特徴とする。
【００２０】
本発明の画像処理装置の第１の態様は、圧縮画像データを供給する画像供給装置から画像データを受信する画像処理装置であって、前記画像供給装置と通信する通信手段と、前記画像供給装置の電源能力と、当該画像処理装置の電源能力とを比較する比較手段と、前記比較手段による比較に基づき、前記画像供給装置との通信方式を選択する選択手段とを有することを特徴とする。
【００２１】
本発明の画像供給装置の第２の態様は、外部装置と通信する画像供給装置であって、圧縮画像を記憶する記憶媒体から画像データを読み出す読み出し手段と、前記圧縮画像を所定のデータ形式に変換する変換手段と、前記外部装置の電源能力と、当該画像供給装置の電源能力とを比較する比較手段と、前記比較手段の比較に基づき、前記変換手段によって変換した画像データを出力するか、前記読み出し手段により読み出された圧縮画像を出力するかを選択する選択手段とを有することを特徴とする。
【００２２】
本発明の画像処理装置の第２の態様は、圧縮画像データを供給する画像供給装置から画像データを受信する画像処理装置であって、前記画像供給装置と通信する通信手段と、前記通信手段を介して前記画像供給装置に画像データを要求する要求手段と、前記画像供給装置の電源能力と、当該画像処理装置の電源能力とを比較する比較手段と、前記比較手段による比較に基づき、前記画像供給装置に圧縮画像データの送信を要求するか、前記圧縮画像を所定の形式に変換した画像データを要求するかを選択する選択手段とを有することを特徴とする。
【００２３】
本発明の画像供給装置の制御方法の第１の態様は、外部装置と通信する画像供給装置の制御方法であって、圧縮画像を記憶する記憶媒体から画像データを読み出す読み出しステップと、前記外部装置の電源能力と、当該画像供給装置の電源能力とを比較する比較ステップと、前記比較ステップでの比較に基づき、前記外部装置との通信方式を選択する選択ステップとを含むことを特徴とする。
【００２４】
本発明の画像処理装置の制御方法の第１の態様は、圧縮画像データを供給する画像供給装置から画像データを受信する画像処理装置の制御方法であって、前記画像供給装置の電源能力と、当該画像処理装置の電源能力とを比較する比較ステップと、前記比較ステップによる比較に基づき、前記画像供給装置との通信方式を選択する選択ステップとを含むことを特徴とする。
【００２５】
本発明の画像供給装置の制御方法の第２の態様は、外部装置と通信する画像供給装置の制御方法であって、圧縮画像を記憶する記憶媒体から画像データを読み出す読み出しステップと、前記圧縮画像を所定のデータ形式に変換する変換ステップと、前記外部装置の電源能力と、当該画像供給装置の電源能力とを比較する比較ステップと、前記比較ステップでの比較に基づき、前記変換手段によって変換した画像データを出力するか、前記読み出しステップにより読み出された圧縮画像を出力するかを選択する選択ステップとを含むことを特徴とする。
【００２６】
本発明の画像処理装置の制御方法の第２の態様は、圧縮画像データを供給する画像供給装置から画像データを受信する画像処理装置の制御方法であって、前記画像供給装置と通信する通信手段を介して前記画像供給装置に画像データを要求する要求ステップと、前記画像供給装置の電源能力と、当該画像処理装置の電源能力とを比較する比較ステップと、前記比較ステップによる比較に基づき、前記画像供給装置に圧縮画像データの送信を要求するか、前記圧縮画像を所定の形式に変換した画像データを要求するかを選択する選択ステップとを含むことを特徴とする。
【発明の効果】
【００２７】
本発明によれば、データ記録装置とデータ出力装置との電源状態に基づいて、それらのデータの送受信方式を選択し、その選択結果に応じて、必要に応じてデータの変換処理を行う変換手段への電源供給状態を切り替えるように構成したので、データ出力機能を制限することなく、消費電力を抑えることが可能となる。
【発明を実施するための最良の形態】
【００２８】
以下、本発明を適用した好適な実施形態を、添付図面を参照しながら詳細に説明する。
【００２９】
＜第１の実施形態＞
図１は、本発明の第１の実施形態に係る印刷システムの構成例を示す図であり、本印刷システムは画像再生装置１００と画像印刷装置１１０から構成される。
【００３０】
図１における画像再生装置１００は、メモリカード１０７内に保存された画像ファイル（例えばＪＰＥＧ形式など）を再生するためのメモリカードインタフェース１０２、使用者とのユーザインタフェースとなる操作パネル１０１を備えており、画像印刷装置１１０と接続していない場合でも、自由にメモリカード内の画像を再生し閲覧することができる。画像印刷装置１１０は、印刷機構部１１１を備え、外部からのデータを受信して印刷を行うことができる。一般的に画像印刷装置はパーソナルコンピュータと接続されるためのインタフェースを備えていることが多いが、本実施形態における画像印刷装置１１０では、画像再生装置１００と接続するためのインタフェースも備えている。
【００３１】
ＵＳＢ（ＵｎｉｖｅｒｓａｌＳｅｒｉａｌＢｕｓ）インタフェース１０４及び１１３は、画像再生装置１００と画像印刷装置１１０を物理的に接続する回路であり、装置間での情報の送受信を可能とする。ここでは、一般的な画像再生装置側がＵＳＢデバイス、画像印刷装置側がＵＳＢホストとして動作するについて説明する。ただし、その逆も可能である。
【００３２】
画像再生装置１００側のＵＳＢインタフェース１０４は、再生制御部１０３から制御データ及び印刷する画像データを受け取り、必要な形式に変換した後、ＵＳＢホストからの要求に応じてバス上に出力する。画像印刷装置１１０側のＵＳＢインタフェース１１３は、印刷制御部１１２から制御データを受け取り、ＵＳＢデバイスに送信する。また、必要なタイミングで印刷する画像データをＵＳＢデバイスから取得する。なお、ＵＳＢインタフェースの代替手段としてＩＥＥＥ１３９４や無線ＬＡＮ、Ｂｌｕｅｔｏｏｔｈ、赤外線通信等の標準的なインタフェースの利用も考えられる。
【００３３】
ＵＳＢインタフェース同士をＵＳＢケーブルで接続すると、ＵＳＢデバイスとしての処理を実行する再生制御部１０３とＵＳＢホストとしての処理を実行する印刷制御部１１２との間で接続ネゴシエーションが開始される。接続ネゴシエーション処理を図２に示す。
【００３４】
ここでは、画像印刷装置１１０がホストとして機能するため、ネゴシエーションの主導権は画像印刷装置１１０側にあるものとする。まず、印刷制御部１１２は、画像再生装置１００側から装置情報を受信する（Ｓ２０１）。次に接続先装置の状態や機能などの固有情報によりデータ送受信方式の選択を行い（Ｓ２０２）、画像再生装置１００へデータ送受信方式を通知する（Ｓ２０３）。
【００３５】
データ送受信方式としては、画像再生装置１００側のデコーダ回路１０６で画像データを画像印刷装置１１０の印刷機構部１１１が直接扱えるＲＡＷデータ（例えばＹＭＣデータまたはＲＧＢデータなど）にデコードして受け渡すＲＡＷデータ送信方式と、記録媒体内にあるファイル形式で受け渡し、画像印刷装置１１０側のデコーダ回路１１５でデコードするファイル送信方式がある。
【００３６】
データ送受信方式選択（Ｓ２０２）において、ＲＡＷデータ送信方式を選択した場合は、印刷制御部１１２は画像印刷装置１１０側で駆動する必要がないデコーダ回路１１５への電源供給を切断し、電力消費量を抑える（Ｓ２０５）。その後、データ送受信方式切替部１１６を画像バッファメモリ１１４側に接続する（Ｓ２０６）。
【００３７】
また、データ送受信方式選択（Ｓ２０２）において、ファイル送信方式を選択した場合は、印刷制御部１１３は印刷装置側で駆動する必要があるデコーダ回路１１５への電源供給を接続し、利用可能な状態させる（Ｓ２０７）。その後、データ送受信方式切替部１１６をデコーダ回路１１５側に接続する（Ｓ２０８）。
【００３８】
一方、画像再生装置１００側では、初めに画像再生装置１００側の装置情報を送信した後（Ｓ２１１）、再生制御部１０３が受信したデータ送受信方式通知を受信する（Ｓ２１２）。ＲＡＷデータ送信方式を選択された場合は、再生制御部１０３は画像再生装置１００側で駆動する必要があるデコーダ回路１０６及び画像フレームバッファ１０４への電源供給を接続し、利用可能な状態に復帰させる（Ｓ２１４）。その後、データ送受信方式切替部１０８をデコーダ回路１０６側に接続する（Ｓ２１５）。
【００３９】
また、ファイル送信方式を選択された場合は、再生制御部１０３は画像再生装置１００側で駆動する必要がないデコーダ回路１０６及び画像バッファメモリ１０５への電源供給を切断し、電力消費量を抑える（Ｓ２１６）。その後、データ送受信方式切替部１０８をメモリカードインタフェース１０２に接続する（Ｓ２１７）。
【００４０】
接続が確立された後の操作パネル１０１の例を図３に示す。操作パネル１０１は、使用者に対して情報を出力する表示部３０１（例えば液晶パネルなど）及び使用者から指示を受ける入力部３０２（キーやスイッチなど）から構成される。表示部３０１では、選択中の画像表示、また枚数、用紙、トリミング、画像処理などの印刷設定メニュー項目が表示されている。使用者は、入力部３０２における次画像スイッチ及び前画像スイッチにより、メモリカード１０７内の次の画像及び前の画像を順番に選択していくことができる。メモリカードインタフェース１０２はメモリカード１０７内から操作パネルで選択された画像を読込み、操作パネル１０１に画像データを送り、表示部３０１に選択中の画像（本画像または縮小画像）を表示する。
【００４１】
また選択スイッチにより、印刷設定メニューの設定したい項目に選択カーソルを移動し、設定スイッチで選択することによって、印刷設定を行うことができる。印刷する画像の選択及び印刷設定が完了すると、使用者は選択スイッチにより、プリント開始項目に選択カーソルを移動し、設定スイッチで選択することによって、再生制御部１０３に印刷開始制御信号を送り、印刷を開始させる。
【００４２】
操作パネル１０１には、選択中の画像や印刷設定メニュー項目を表示している印刷設定状態の他に、現在の印刷枚数等を表示する印刷中状態３０３、用紙切れなどのプリンタエラーが発生した場合に情報を表示するエラー状態３０４、印刷が完了した場合に情報を表示する印刷完了状態３０５がある。印刷中状態３０３では、選択カーソルが中止項目に移動しているので、設定スイッチを押すことにより現在の印刷を中止する印刷中止制御信号を再生制御部１０３に送り、印刷を中止させることができる。
【００４３】
エラー状態３０４では、エラーの情報とその状態によって続行項目と中止項目が表示される。例えばインクジェットプリンタの場合など、インクの残量が少ない場合などは、続行することによって印刷が可能な場合がある。逆に、インクが完全に空になった場合などは、印刷を続行することはできないので、続行項目は表示されないこともある。選択スイッチにより選択カーソルを続行項目または中止項目に移動させ、設定スイッチで選択することによって、再生制御部１０３に印刷再開制御信号または印刷中止制御信号を送り、印刷を再開または中止することができる。印刷完了状態３０５では、印刷完了の情報を表示する。使用者が印刷完了を確認すると、再び印刷設定状態に戻る。
【００４４】
再生制御部１０３は、印刷開始制御信号を受け取ると、ＵＳＢ（Ｕｎｉｖｅｒｓａｌ Ｓｅｒｉａｌ Ｂｕｓ）インタフェース１０４に対して、印刷開始を要求する制御データを送る。印刷開始制御データには、印刷する画像を一意に識別する識別子（例えばファイル名やファイル番号など）及び印刷枚数、用紙などの印刷設定に関する情報を含む。
【００４５】
印刷制御部１１２は、ＵＳＢインタフェース１１３を通じて、画像再生装置１００から印刷開始を要求する制御データを受信すると（図４のステップＳ４０１，図５のステップＳ５０１）、印刷する画像データの取得を要求する制御データをＵＳＢインタフェース１１３を通じて画像再生装置１００に送る。
【００４６】
接続方式がＲＡＷデータ送信方式の場合、図４に示すように、再生制御部１０３は、メモリカード１０７から画像ファイルを読み込み、符号化された画像ファイルをデコーダ回路１０６によってＲＡＷデータ（例えばＲＧＢデータやＹＭＣデータなど）に変換し画像バッファメモリ１０５に格納した後、ＵＳＢインタフェース１０４及び１１３を通じて再生制御部１０３から印刷制御部１１２に送信する（ステップＳ４０２）。印刷制御部１１２では、受信した色データを画像バッファメモリ１１４に格納し、印刷機構部１１１は順次画像バッファメモリ１１４から色データを取得し、印刷を行う。
【００４７】
また、接続方式がファイル送信方式の場合、図５に示すように再生制御部１０３は、メモリカード１０７から画像ファイルを読み込み、符号化された画像ファイルデータをＵＳＢインタフェース１０４及び１１３を通じて再生制御部１０３から印刷制御部１１２に送信する（ステップＳ５０２）。印刷制御部１１２では、受信した画像ファイルデータをデコーダ回路１１５によってＲＡＷデータ（例えばＲＧＢデータやＹＭＣデータなど）に変換し画像バッファメモリ１１４に格納し、印刷機構部１１１は順次画像バッファメモリ１１４から色データを取得し、印刷を行う。
【００４８】
印刷機構部１１１より何らかのエラー制御信号を受け取ると、印刷制御部１１２では、エラー発生を通知する制御データをＵＳＢインタフェース１１４に送る。ＵＳＢインタフェース１０４からエラー通知の制御データを受け取ると、再生制御部１０３は、操作パネル１０１にエラー通知信号を送り、操作パネル１０１がエラー状態２０４となる。
【００４９】
印刷機構部１１１より印刷完了制御信号を受け取ると、印刷制御部１１２では、印刷完了を通知する制御データをＵＳＢインタフェース１１３に送る。再生制御部１０３は、ＵＳＢインタフェース１１３、１０４を介して印刷完了通知の制御データを受け取ると、操作パネル１０１印刷完了通知信号を送り（図４のステップＳ４０３、図５のステップＳ５０３）、操作パネル１０１が印刷完了状態２０５となる。
【００５０】
＜第２の実施形態＞
次に、本発明の第２の実施形態について説明する。図６は、本発明の第２の実施形態に係る印刷システムの構成例を示す図であり、第１の実施形態と同様に画像再生装置６００と画像印刷装置６１０から構成される。
【００５１】
図６における電源状態検出部６０９は、画像再生装置６００における駆動電源がＡＣ電源またはバッテリか、またバッテリならばバッテリ残容量を検出し、再生制御部６０３に電源情報を提供するものである。再生制御部６０３は、電源情報を接続ネゴシエーション時に装置情報の一部として画像印刷装置６１０に送信する。
【００５２】
また、電源状態検出部６１７は、画像印刷装置６１０における駆動電源がＡＣ電源またはバッテリか、またバッテリならばバッテリ残容量を検出し、印刷制御部６１２に電源情報を提供するものである。
【００５３】
ここでは、図２におけるデータ送受信方式選択（Ｓ２０２）として、電源状態によってデータ送受信方式を選択する処理について説明する。その他の処理については、第１の実施形態と同様である。
【００５４】
データ送受信方式選択の処理を図７に示す。図２における再生装置情報取得（Ｓ２０１）で取得した情報の中から画像再生装置６００の電源状態を取得する（Ｓ７０１）。次に画像印刷装置６１０側の電源情報を電源検出部６１７より取得する（Ｓ７０２）。
【００５５】
画像再生装置６００側の電源種別がＡＣ電源の場合、かつ、画像印刷装置６１０側の電源種別がＡＣ電源の場合、各装置ともに消費電力を抑える必要がないため、データ送受信方式の選択には別の基準を使用する（Ｓ７０５）。例えば、操作パネル６０１にメニューを表示させ、使用者にデータ送受信方式を選択させる方法が考えられる。また、現在の印刷システムでは、デコードと同時に様々な画像処理を行うことにより印刷結果を良くしているが、画像再生装置６００と画像印刷装置６１０のうち画像処理方式の優れた方でデコードするようデータ送受信方式を選択する方法が考えられる。
【００５６】
画像再生装置６００側の電源種別がＡＣ電源の場合、かつ、画像印刷装置６１０側の電源種別がバッテリの場合、画像印刷装置６１０側の消費電力を抑えるために、ＲＡＷデータ送信方式を選択する（Ｓ７０６）。
【００５７】
画像再生装置６００側の電源種別がバッテリの場合、かつ、画像印刷装置６１０側の電源種別がＡＣ電源の場合、画像再生装置６００側の消費電力を抑えるために、ファイル送信方式を選択する（Ｓ７０８）。
【００５８】
画像再生装置６００側の電源種別がバッテリの場合、かつ、画像印刷装置６１０側の電源種別がバッテリの場合、お互いのバッテリ残容量（または、それから導かれる推定駆動時間）を比較することによって（Ｓ７０９）、データ送受信方式を選択する。
【００５９】
画像再生装置６００側バッテリ残容量が画像印刷装置６１０側のバッテリ残容量よりも大きい場合、画像印刷装置６１０側の消費電力を抑えるために、ＲＡＷデータ送信方式を選択する（Ｓ７１０）。
【００６０】
画像再生装置６００側のバッテリ残容量が画像印刷装置６１０側のバッテリ残容量よりも小さい場合、画像再生装置６００側の消費電力を抑えるために、ファイル送信方式を選択する（Ｓ７１１）。この処理により、画像再生装置６００及び画像印刷装置６１０の電源状態に適したデータ送受信方式を選択し、駆動時間を長くすることが可能である。
【００６１】
以上のように、上記実施形態によれば、画像再生装置と画像印刷装置が接続された場合に、バッテリ駆動されていると認識された場合、または十分なバッテリ残容量がないと判断された場合、各々の電源容量状態に応じて最適な画像データ送信方式を選択し、選択されたデータ送信方式に応じて不必要なブロックへ電源供給を抑えることができる。これによって、印刷機能を制限することなく、従来よりも長時間の印刷を行うことを可能とする画像再生装置及び画像印刷装置を提供することができる。
【００６２】
なお、上記の実施形態においては、画像印刷装置側が画像再生装置の電源状態情報を取得し、自らの電源状態と比較し、その比較結果に基づいて画像データ送受信方式を選択するように構成しているが、画像再生装置側がその役割を担うことも可能である。この場合、画像再生装置は、自らの画像データ送受信方式の選択結果に応じて、データ送受信切替部６０８が動作するとともに、その動作に連動してデコーダ回路６０６への電源供給状態も切り替えられる。また、画像印刷装置は、画像再生装置からの指示を受けてデータ送受信方式切替部６１６が動作するとともに、それに連動してデコーダ回路６１５への電源供給状態も切り替えられることになる。
【００６３】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６４】
この場合、記憶媒体から読み出されたプログラムコード自体が前述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００６８】
【図１】本発明の第１の実施形態に係る印刷システムの構成例を示す図である。
【図２】画像再生装置と画像印刷装置との接続ネゴシエーション処理を示すフローチャートである。
【図３】操作パネル上の表示構成例を示す図である。
【図４】ファイル送信方式の流れを示すシーケンスチャートである。
【図５】ＲＡＷデータ送信方式の流れを示すフローチャートである。
【図６】本発明の第２の実施形態に係る印刷システムの構成例を示す図である。
【図７】本発明の第２の実施形態に０おけるデータ送受信方式選択の処理を示すフローチャートである。
【符号の説明】
【００６９】
１００、６００  画像再生装置
１０１、６０１  操作パネル
１０２、６０２  メモリカードインタフェース
１０３、６０３  再生制御部
１０４、６０４  ＵＳＢインタフェース
１０５、６０５  画像バッファメモリ
１０６、６０６  デコーダ回路
１０７、６０７  メモリカード
１０８、６０８  データ送受信方式切替部
６０９  電源状態検出部
１１０、６１０  画像印刷装置
１１１、６１１  印刷機構部
１１２、６１２  印刷制御部
１１３、６１３  ＵＳＢインタフェース
１１４、６１４  画像バッファメモリ
１１５、６１５  デコーダ回路
１１６、６１６  データ送受信方式切替部
６１７  電源状態切替部
【図１】
2006190186.tif 000003
【図２】
2006190186.tif 000004
【図３】
2006190186.tif 000005
【図４】
2006190186.tif 000006
【図５】
2006190186.tif 000007
【図６】
2006190186.tif 000008
【図７】
2006190186.tif 000009